(57)【特許請求の範囲】
【請求項１】
ユーザにより操作されてコマンドを実行させる旨の信号を出力する操作スイッチ（１１〜１３）と、
車両に搭載された各々の機器（４０）に対する複数種類のコマンドの中から、前記操作スイッチに割り当てるコマンドの候補を選択するよう、ユーザにより操作される候補選択操作手段（１４）と、
前記候補選択操作手段により選択された複数の候補コマンドの中から、前記操作スイッチに実際に割り当てるコマンドを選択するよう、ユーザにより操作されるコマンド割当操作手段（１４）と、
前記候補選択操作手段による選択の対象となる前記複数種類のコマンドを表示するとともに、前記候補選択操作手段により選択されたコマンドであって、前記コマンド割当操作手段による選択の対象となる前記複数の候補コマンドを表示する表示器（２０）と、
を備え、
前記候補選択操作手段および前記コマンド割当操作手段は、前記操作スイッチとは別に設けられた、入力プレート上での指先動作を検出するタッチパッドにより実現されており、
前記表示器は前記操作スイッチよりも上方に配置され、前記操作スイッチは前記タッチパッドよりも上方に配置され、前記タッチパッド、前記操作スイッチおよび前記表示器が上下方向に一列に並んで配置されていることを特徴とする車載操作装置。
【請求項２】
前記操作スイッチは、水平方向に複数並べて配置され、
前記表示器は、複数の前記操作スイッチに割り当てられた各々のコマンドを、前記操作スイッチが並ぶ順と同順で水平方向に並べて表示することを特徴とする請求項１に記載の車載操作装置。
【請求項３】
前記コマンド割当操作手段として前記タッチパッドが操作されている時の前記表示器は、複数の前記操作スイッチに割り当てられた各々のコマンドを割当表示領域（２１、２２、２３）に表示すると同時に、前記候補コマンドのうち前記操作スイッチに割り当てられていないコマンドを候補表示領域（２６）に表示し、
前記候補表示領域は、前記タッチパッドへの入力により選択されている操作スイッチに応じて移動し、かつ、選択されている前記操作スイッチに対応する前記割当表示領域に隣接して配置されることを特徴とする請求項２に記載の車載操作装置。
【請求項４】
前記操作スイッチを複数備えるとともに、前記操作スイッチの各々に対して割り当てるコマンドの組み合わせを複数記憶する記憶手段（１７ａ）を備え、
前記コマンド割当操作手段は、前記記憶手段に記憶された複数の組み合わせの中から前記操作スイッチに割り当てるコマンドの組み合わせを決定するよう操作されるものであることを特徴とする請求項１〜３のいずれか１つに記載の車載操作装置。
【請求項５】
車両が走行中である場合には、前記候補選択操作手段によるコマンドの選択を禁止させることを特徴とする請求項１〜４のいずれか１つに記載の車載操作装置。
【発明の詳細な説明】
【技術分野】
【０００１】
本発明は、複数の車載機器を共通の操作スイッチで操作する、車載操作装置に関する。
【背景技術】
【０００２】
特許文献１等には、車両に搭載される複数の車載機器を、共通の操作スイッチで一元的に操作することで、操作スイッチの数を低減させる旨が記載されている。詳細には、各々の機器に対する複数種類のコマンドを階層メニューで表示させて、操作スイッチで選択させる。
【０００３】
例えば、最上層のメニューでは操作対象機器（ナビ、オーディオ、テレビ、ラジオ、空調機器）を選択させるメニューが表示される。次に、そのメニューにおいてテレビを選択すると、テレビに対する操作メニュー（チャンネル、音量）が表示される。次に、そのメニューにおいてチャンネルを選択すると、所望のチャンネルを選択させる最下層のメニューが表示される。最後に、このメニューで所望のチャンネル（所望のコマンド）を選択する。
【先行技術文献】
【特許文献】
【０００４】
【特許文献１】特開２００７−８２４６号公報
【発明の概要】
【発明が解決しようとする課題】
【０００５】
ここで、車両の走行運転中に、ユーザ（特に車両運転者）が車載機器を操作することを想定すると、操作スイッチによる選択操作は、瞬時に選択できるようシンプルである必要がある。
【０００６】
しかしながら、車載機器の数が増えるほど、メニュー中における操作対象機器の選択肢が増え、瞬時選択の妨げとなる。また、車載機器自身の機能が増えるほど、階層メニューが深く（階層数が多く）なり、所望のコマンドを選択するまでに要する操作スイッチの操作回数が多くなり、瞬時選択の妨げとなる。
【０００７】
本発明は上述した点に鑑みてなされたもので、その目的は、複数の車載機器を共通の操作スイッチで一元操作可能にしつつ、所望のコマンドを瞬時に選択できるようにした車載操作装置を提供することにある。
【課題を解決するための手段】
【０００８】
上記目的を達成する発明は以下の点を特徴とする。すなわち、ユーザにより操作されてコマンドを実行させる旨の信号を出力する操作スイッチと、車両に搭載された各々の機器に対する複数種類のコマンドの中から、操作スイッチに割り当てるコマンドの候補を選択するよう、ユーザにより操作される候補選択操作手段と、候補選択操作手段により選択された複数の候補コマンドの中から、操作スイッチに実際に割り当てるコマンドを選択するよう、ユーザにより操作されるコマンド割当操作手段と、候補選択操作手段による選択の対象となる複数種類のコマンドを表示するとともに、候補選択操作手段により選択されたコマンドであって、コマンド割当操作手段による選択の対象となる複数の候補コマンドを表示する表示器（２０）と、を備え、候補選択操作手段およびコマンド割当操作手段は、操作スイッチとは別に設けられた、入力プレート上での指先動作を検出するタッチパッドにより実現されており、表示器は操作スイッチよりも上方に配置され、操作スイッチはタッチパッドよりも上方に配置され、タッチパッド、操作スイッチおよび表示器が上下方向に一列に並んで配置されていることを特徴とする。
【０００９】
この発明によれば、車載機器を操作するユーザ（車両の乗員であり、特に車両運転者）が、使用頻度の高いコマンドを操作スイッチに割り当てて、操作スイッチをショートカットキーとして機能させることができる。よって、少ない操作回数で瞬時に所望のコマンドを選択できるようになり、走行時でも車載機器を容易に操作できるようになる。
【００１０】
ここで、使用頻度の高いコマンドは、その時の外部環境やユーザの好み等に応じて異なる。例えば、外気温度が快適温度と大きく異なる季節には、空調装置を使用する頻度が高い。また、ユーザの好みに応じて、オーディオを使用する頻度や音量設定を変更する頻度等は異なる。そのため、車両走行時であっても操作スイッチの割り当てを変更させたい場合があり、この場合には、所望のコマンドを操作スイッチに割り当てる操作を、短時間で実施できるようにする必要がある。
【００１１】
この点を鑑みた上記発明では、ユーザは、全てのコマンドの中から複数の候補コマンドを予め選択（候補選択）しておき、それら候補コマンドの中から、操作スイッチに割り当てるコマンドを選択（最終選択）できる。そのため、操作時間に余裕のある時（例えば走行停止時やエンジン停止時）に候補選択を実施しておけば、走行時には、絞られた候補コマンドの中から最終選択できる。よって、操作スイッチに割り当てられているコマンドを走行中に変更させるにあたり、全てのコマンドの中から走行時に選択して変更する場合に比べて、走行時に要する変更操作時間を短くできる。
【図面の簡単な説明】
【００１２】
【図１】本発明の第１実施形態において、操作スイッチの車両搭載位置を示す図。
【図２】図１に示す遠隔操作装置の構成を説明するブロック図。
【図３】第１実施形態にかかる通常表示モードの表示態様を示す図。
【図４】第１実施形態にかかる割当変更モードの表示態様を示す図。
【図５】第１実施形態にかかる候補登録モードの表示態様を示す図。
【図６】第１実施形態において、操作対象機器が選択された後における割当コマンドを変更するための、割当変更モードの表示態様を示す図。
【図７】第１実施形態において、割当変更モードの表示制御手順を示すフローチャート。
【図８】第１実施形態において、候補登録モードの表示制御手順を示すフローチャート。
【図９】本発明の第２実施形態にかかる割当変更モードの表示態様を示す図。
【図１０】本発明の第３実施形態にかかる遠隔操作装置を示す図。
【図１１】本発明の第４実施形態にかかる遠隔操作装置を示す図。
【発明を実施するための形態】
【００１３】
以下、本発明にかかる車載操作装置の各実施形態について、図面を参照しつつ説明する。なお、以下の各実施形態相互において、互いに同一もしくは均等である部分には、図中に同一符号を付すことで、その説明を援用する。
【００１４】
（第１実施形態）
図１に示すように、遠隔操作装置１０は、車両の室内のうち車両運転者（ユーザ）の手が届く範囲内に搭載される。遠隔操作装置１０による操作内容は遠方表示器２０に表示される。遠方表示器２０はフロントウインドシールド３０の近傍に設置されている。遠隔操作装置１０は、運転席と助手席の間に位置する、センターコンソールの意匠パネル３１（設置部材）に設置されている。つまり、遠隔操作装置１０と遠方表示器２０は別々に分離して配置されており、遠方表示器２０は遠隔操作装置１０よりも上方に配置されている。
【００１５】
このように、遠隔操作装置１０と遠方表示器２０を分離して配置することで、運転者は、車両走行運転時の視線を大きく動かすことなく遠方表示器２０を見ることができる。また、遠隔操作装置１０を運転者の手元近くに配置することができるので、運転者は、走行運転時の姿勢のまま遠隔操作装置１０を操作できる。
【００１６】
遠隔操作装置１０は、車両に搭載された複数の機器（操作対象機器）の作動内容を操作する装置である。具体例としては、車両に搭載されたナビゲーション機器、オーディオ機器、テレビ、ラジオ、空調機器等が挙げられる（図２中の符号４０参照）。遠方表示器２０には、上述した各種機器４０に対する操作内容が表示される他、各種機器４０の作動状態や、遠隔操作装置１０の操作により決定される操作メニュー（図３〜図６参照）も表示される。
【００１７】
遠隔操作装置１０は、ユーザにより手動操作される複数の操作スイッチ１１、１２、１３およびタッチパッド１４を備える。操作スイッチ１１〜１３は、端子の接触状態を手動でオンオフ操作する機械式のスイッチであり、車両左右方向（図１の左右方向）に３つ並べて配置されている。これら３つの操作スイッチ１１〜１３は、運転者の左手の薬指、中指、人差し指により各々操作されることを想定している。
【００１８】
タッチパッド１４は、操作スイッチ１１〜１３に隣接して配置されており、図１の例では操作スイッチ１１〜１３の下方または車両後方側に配置されている。タッチパッド１４は、操作プレート上における運転者の指先の動作を、静電容量の変化に基づき検出する。具体的には、操作プレート上における指先の接触位置や、操作プレートを指先でなぞった時の指先軌跡、操作プレートを指先で叩く動作（タップ操作）、操作プレートに触れている指先を目的位置までなぞる動作（スライド操作）、操作プレートに触れている指先を素早くはらう動作（フリック操作）等を検出する。なお、タップ操作については、操作プレートへの指先押付力を検出する圧力センサをタッチパッド１４に搭載して検出すればよい。
【００１９】
これらの操作スイッチ１１〜１３およびタッチパッド１４は、ブラインド操作が可能である。つまり、運転者は、遠方表示器２０に表示されている操作メニューを見ながら、遠隔操作装置１０をブラインド操作して、各機器４０を操作できる。
【００２０】
図２に示すように、遠隔操作装置１０は、操作スイッチ１１〜１３およびタッチパッド１４の他、フィルタ回路１５、静電検出回路１６、ＭＰＵ１７（マイクロ・プロセッシング・ユニット）、および通信回路１８を備える。タッチパッド１４は、指先の動作により生じた静電容量変化を、指先動作信号として出力する。この指先動作信号は、フィルタ回路１５によりノイズ除去されて、静電検出回路１６に入力される。静電検出回路１６は、指先動作信号をシリアル信号によってＭＰＵ１７に出力する。
【００２１】
ＭＰＵ１７は、静電検出回路１６から出力される指先動作信号と、操作スイッチ１１〜１３から出力されるオンオフ信号とに基づき操作信号を生成して出力する。通信回路１８は、ＣＡＮ等の通信プロトコルを用いて、遠方表示器２０および各種機器４０とＭＰＵ１７との間で双方向通信させる。これにより、ＭＰＵ１７から出力された操作信号は、遠方表示器２０および各種機器４０へ送信可能となる。遠方表示器２０および各種機器４０は、操作信号に応じた制御内容で作動する。
【００２２】
割当制御手段として機能するＭＰＵ１７は、各々の操作スイッチ１１〜１３に対して、先述した操作メニューに応じたコマンドを割り当てる。そして、操作スイッチ１１〜１３をオン操作すると、割り当てられたコマンド（割当コマンド）を実行させる旨の信号を操作信号として出力する。さらに、表示制御手段として機能するＭＰＵ１７は、操作信号に応じた操作メニューを遠方表示器２０に表示させるよう、遠方表示器２０の表示内容を制御する。以下、その表示内容およびコマンドの割り当てについて、図３〜図６を用いて説明する。
【００２３】
図３（ａ）に示すように、操作メニューに設定されている各種機器４０が未使用である場合には、ＭＰＵ１７は、以下に説明する割当表示領域２１〜２３およびナビ表示領域２４を、遠方表示器２０（第２表示手段）に設定して表示させる。割当表示領域２１、２２、２３は、各操作スイッチ１１〜１３に割り当てられているコマンドの内容を表示させる領域であり、割り当てられているコマンドの種類は予め設定されている。この割当表示領域２１〜２３が操作メニューに相当する。ナビ表示領域２４は、ナビゲーション機器から出力される地図情報を表示させる領域である。
【００２４】
図３（ａ）の例では、操作スイッチ１１〜１３の各々にはラジオを起動させるコマンド、オーディオを起動させるコマンド、およびＤＶＤプレーヤーを起動させるコマンドが割り当てられており、それらのコマンドが割当表示領域２１〜２３に表示されている。図３（ａ）の表示状態で、例えば操作スイッチ１３をユーザがオン操作すると、操作スイッチ１３に割り当てられたコマンド（つまりオーディオの起動）を実施する旨の操作信号が出力される。そして、この操作信号をオーディオ機器４０が受信することで、オーディオ機器４０は起動する。
【００２５】
図３（ｂ）に示すように、操作メニューに設定されている機器４０が使用中である場合には、ＭＰＵ１７は、使用中の機器４０がいずれであるかを表示する使用アプリ表示領域２５を遠方表示器２０に設定して表示させる。さらに、ＭＰＵ１７は、各操作スイッチ１１〜１３に割り当てられているコマンドの内容を、予め設定しておいた内容に変更する。図３（ｂ）の例では、使用中の機器の操作に関するコマンドを設定している。具体的には、操作スイッチ１１〜１３の各々に、巻き戻しコマンド、再生コマンドおよび早送りコマンドが割り当てられており、それらのコマンドが割当表示領域２１〜２３に表示されている。
【００２６】
操作スイッチ１１〜１３またはタッチパッド１４により所定の操作（例えばタップ操作）が検出されると、ＭＰＵ１７は遠方表示器２０の表示内容を、図４（ａ）に示す割当変更モードに切り替える。割当変更モードでは、各操作スイッチ１１〜１３に割り当てるコマンドの内容が、タッチパッド１４（コマンド割当操作手段）の操作により変更可能となる。
【００２７】
割当変更モードでは、予め設定しておいた複数の候補コマンドの全てを表示させる。詳細には、候補コマンドのうち操作スイッチ１１〜１３に割り当てられているコマンドは割当表示領域２１〜２３に表示され、いずれの操作スイッチ１１〜１３にも割り当てられていないコマンドは、候補表示領域２６に表示される。図４（ａ）の例では、ナビゲーション機器を起動させるコマンド、および空調機器により自動制御される車室内の温度（設定温度）を設定にするコマンドが、候補表示領域２６に表示されている。
【００２８】
割当変更モードでは、タッチパッド１４の操作により、操作スイッチ１１〜１３のうちいずれの割当コマンドを変更するかを選択できる。図４（ｂ）の例では、タッチパッド１４をスライド操作すると、スライド位置に応じた操作スイッチが変更対象として選択されるとともに、候補表示領域２６の表示位置が移動する。具体的には、変更対象となる操作スイッチ１１の割当表示領域２１に対して隣接した位置に、候補表示領域２６の表示位置が移動する。
【００２９】
割当変更モードでは、タッチパッド１４の操作により、変更対象となる操作スイッチ１１に対していずれの割当コマンドに変更するかを選択できる。図４（ｃ）の例では、タッチパッド１４をフリック操作すると、変更対象となる操作スイッチ１１の割当コマンドが変更されるとともに、割当表示領域２１に表示されるコマンドが変更される。なお、このフリック操作を実施した場合には、候補表示領域２６および割当表示領域２１により構成された１つのドラムが、回転（ドラムロール）する態様で視認されるように表示させる。
【００３０】
割当変更モードにおいて、タッチパッド１４で指先の接触が所定時間以上検出されない場合には、割当変更モードから通常表示モードに切り替える。通常表示モードでは、図４（ｄ）または図３（ａ）に示すように、割当表示領域２１〜２３を表示させ、候補表示領域２６の表示を終了させる。
【００３１】
操作スイッチ１１〜１３またはタッチパッド１４（候補選択操作手段、）により所定の操作（例えばタップ操作の繰り返し）が検出されると、ＭＰＵ１７は遠方表示器２０（第１表示手段）の表示内容を、図５に示す候補登録モードに切り替える。候補登録モードでは、候補コマンドとして選択可能な全てのコマンドを、全体コマンド表示領域２７に表示させる。候補コマンドに選択されているコマンドについては強調表示させることが望ましい。そして、全体コマンド表示領域２７のうち、タッチパッド１４のスライド操作により選択されたコマンドを、候補コマンドとして決定する。
【００３２】
ＭＰＵ１７は、車両走行時には候補登録モードへの表示切替を禁止する。よって、車両停車時に限り、候補コマンドの選択決定が可能となる。なお、通常表示モードおよび割当変更モードへの表示切替については、車両走行時であっても許可する。
【００３３】
操作メニューは階層構造になっており、最上層のメニューでは操作対象機器を選択させるメニュー（アプリ選択メニュー）が表示される（図３（ａ）参照）。操作対象機器を選択すると、選択した機器に関する操作メニュー（操作メニュー）が表示される（図３（ｂ）参照）。図４および図５では、アプリ起動コマンドを変更するアプリ選択メニューについて説明したが、図６に例示するように、起動中の機器に対する操作コマンドを変更する操作メニューを表示させて、操作対象機器が選択された後のコマンド割り当てについても変更可能である。
【００３４】
図６に示す操作メニューでは、割当表示領域２１〜２３に加え、該当する機器の全てのコマンドをコマンド表示領域２８に表示させる。図６の例では、タッチパッド１４をスライド操作すると、コマンド表示領域２８のうち、スライド位置に応じたコマンドが変更対象として選択される。その後、タッチパッド１４をフリック操作すると、変更対象となる操作スイッチ１２の割当コマンドが、選択したコマンドに変更されるとともに、割当表示領域２２に表示されるコマンドが変更される。
【００３５】
なお、図５中の符号２７ａに示すように、アプリ選択メニュー中に、起動中アプリに対する操作コマンド（例えば設定温度を決定するコマンド）を表示させてもよい。これによれば、アプリ選択コマンドおよび操作コマンドを同時に表示させて、異なる階層のコマンドの中から割当コマンドを選択させることができる。
【００３６】
次に、ＭＰＵ１７により遠方表示器２０の表示内容を変更させる処理の手順を、図７および図８のフローチャートを用いて説明する。なお、これらのフローチャートは、ＭＰＵ１７への電力供給が為されている時に、所定周期で常時実行される。
【００３７】
割当変更モードの表示制御では、先ず図７のステップＳ１０において、割当コマンドの変更要求の有無を判定する。図４（ａ）の例では、通常表示モードの時にタップ操作が検出された場合に、割当コマンドの変更要求があると判定する。続くステップＳ１１では、遠方表示器２０の表示内容を、図３に示す通常表示モードから図４（ａ）に示す割当変更モードに切り替える。続くステップＳ１２では、割当変更モードにおいて、割当コマンドの設定が終了したか否かを判定する。図４（ｄ）の例では、タッチパッド１４による接触検出が所定時間以上なかった場合に、割当コマンドの設定が終了したと判定する。設定終了と判定されるまでは割当変更モードでの表示を継続させ、設定終了と判定されれば、続くステップＳ１３において割当変更モードから通常表示モードに表示を切り替える。
【００３８】
候補登録モードの表示制御では、先ず図８のステップＳ２０において、候補コマンドの登録変更要求の有無を判定する。続くステップＳ２１では、車両が走行中であるか否かを判定する。走行中であると判定されれば（Ｓ２１：ＹＥＳ）、候補登録モードに表示を切り替えることなく処理を終了する。一方、走行中でないと判定されれば（Ｓ２１：ＮＯ）、次のステップＳ２２において、遠方表示器２０の表示内容を図５に示す候補登録モードに切り替える。そして、ステップＳ２３にて登録変更が終了したと判定されるまでは、候補登録モードでの表示を継続させる。登録変更終了と判定されれば、続くステップＳ２４において候補登録モードから通常表示モードに表示を切り替える。
【００３９】
以上により、本実施形態によれば以下の効果が発揮される。
【００４０】
・使用頻度の高いアプリケーション機器のコマンド（アプリ起動コマンドまたは操作コマンド）を操作スイッチ１１〜１３に割り当てることができるので、操作スイッチ１１〜１３をショートカットキーとして機能させることができる。よって、少ない操作回数で瞬時に所望のコマンドを選択できるようになり、走行時でも車載機器を容易に操作できるようになる。
【００４１】
・候補登録モードにおいて、全てのコマンドの中から複数の候補コマンドを予め登録しておき、割当変更モードにおいて、登録しておいた候補コマンドの中から、操作スイッチに割り当てるコマンドを選択できる。そのため、操作時間に余裕のある停車時に候補登録モードによる登録を実施しておけば、走行時には、絞られた候補コマンドの中から割当コマンドを選択できる。割当コマンドを走行中に変更させるにあたり、全てのコマンドの中から走行時に選択して変更する場合に比べて短時間で変更できる。
【００４２】
・タッチパッド１４（候補選択操作手段）による選択の対象となる複数種類のコマンドを遠方表示器２０（第１表示手段）に表示させるとともに、タッチパッド１４（候補選択操作手段）により選択された複数の候補コマンドを遠方表示器２０（第２表示手段）に表示させる。そのため、これらを表示させずに音声によりユーザに操作案内する場合に比べて、ユーザによる操作性を向上できる。
【００４３】
しかも本実施形態では、遠方表示器２０と遠隔操作装置１０を分離して配置し、走行運転時の視線近傍に遠方表示器２０を配置する一方で、運転者の手元近くに遠隔操作装置１０を配置する。そのため、遠方表示器２０による表示案内を視認しながら遠隔操作装置１０を手元で操作できるようになり、ユーザによる操作性を向上できる。
【００４４】
・候補コマンドを選択操作する候補選択操作手段、および選択コマンドを選択操作するコマンド割当操作手段として、入力プレート上での指先動作を検出するタッチパッド１４を採用している。タッチパッド１４は、タップ操作、スライド操作、フリック操作等、種々の操作態様による操作が可能であるため、ブラインド操作することに優れており、上記操作手段に用いて好適である。
【００４５】
・ここで、割当変更モードでは選択肢が候補コマンドに限られているのに対し、候補登録モードでは全てのコマンドが選択肢となるため、候補コマンドを選択する判断に時間を要する。この点を鑑みた本実施形態では、車両が走行中である場合には（Ｓ２１：ＹＥＳ）、候補登録モードにおけるタッチパッド１４（候補選択操作手段）による操作を禁止させる。具体的には、候補登録モードへの表示切替を禁止させる。そのため、走行運転操作に対する集中力低下を抑制できる。
【００４６】
（第２実施形態）
本実施形態では、操作スイッチ１１〜１３の各々に対して割り当てるコマンドの組み合わせを予め設定して、設定した複数の組み合わせを、図１に示すメモリ１７ａ（記憶手段）に記憶させておく。図９の例では、（ａ）〜（ｃ）に示す３つの組み合わせを設定している。なお、図９では、遠方表示器２０の表示画面のうち、割当表示領域２１〜２３の部分のみを図示している。
【００４７】
図９（ａ）では、オーディオ機器に対する「巻き戻し」「再生」「早送り」の３つのコマンドを、操作スイッチ１１〜１３の各々に割り当てる組み合わせである。（ｂ）では、テレビに対する「チャンネル戻し」「消音」「チャンネル送り」の３つの組み合わせであり、（ｃ）では、空調機器に対する「設定温度の低下」「エコモードのオンオフ切り替え」「設定温度の上昇」の３つの組み合わせである。
【００４８】
そして、割当変更モードにおいて、操作スイッチ１１〜１３に対する割当コマンドを設定するにあたり、上記（ａ）〜（ｃ）のいずれの組み合わせに設定するかを、タッチパッド１４を用いてユーザに選択させる。なお、（ａ）〜（ｃ）の各々の組み合わせ内容は、候補登録モードにおいて、タッチパッド１４を用いてユーザが予め設定しておく。
【００４９】
以上により、本実施形態によれば、使用頻度の高い３つのコマンドの組み合わせを予め設定しておくことができるので、割当コマンドの変更に要する操作を簡素にでき、しかも、割当コマンドを選択する判断に要する時間をより一層短縮できる。
【００５０】
（第３実施形態）
本実施形態では、タッチパッド１４が表示機能を有している。例えば図１０に示すように、割当変更モードでは、遠方表示器２０に表示させる候補表示領域２６および割当表示領域２１〜２３の内容（図３および図４参照）を、タッチパッド１４の表示部１４ａ、１４ｂにも表示させる。
【００５１】
詳細には、図１０（ａ）では、いずれの操作スイッチ１１〜１３にも割り当てられていないコマンドを表示部１４ａに表示させており、表示部１４ａのうち所望のコマンドが記載された部分（図の例ではＤＶＤ）に指先をあて、フリック操作すると、フリック先の操作スイッチ（図の例では中央の操作スイッチ１２）に対する割当コマンドがＤＶＤ起動コマンドに変更される。このように変更操作が完了すると、図１０（ｂ）に示すように、変更後の割当コマンドが表示部１４ｂに表示される。設定変更後の通常表示モードでは、表示部１４ａの表示を終了させるとともに、表示部１４ｂの表示を継続させる（図１０（ｃ）参照）。
【００５２】
以上により、本実施形態によれば、通常表示モードにて割当コマンドをタッチパッド１４に表示させるので、タッチパッド１４に表示される割当コマンドを視認しながら操作スイッチ１１〜１３を操作でき、操作スイッチ１１〜１３の操作性を向上できる。また、割当変更モードにて割り当てられていないコマンドをタッチパッド１４に表示させるので、変更する割当コマンドを視認しながらタッチパッド１４を操作でき、割当コマンドの変更操作性を向上できる。
【００５３】
（第４実施形態）
本実施形態では、タッチパッド１４および操作スイッチ１１〜１３が表示機能を有している。例えば図１１に示すように、割当変更モードでは、遠方表示器２０に表示させる候補表示領域２６および割当表示領域２１〜２３の内容（図３および図４参照）を、タッチパッド１４の表示部１４ａ、１４ｃにも表示させる。
【００５４】
詳細には、上記第３実施形態における表示部１４ｂの内容を、操作スイッチ１１〜１３の表示部１１ａ〜１３ａに表示させる。また、タッチパッド１４の表示部１４ｃには、起動中の機器（図１１の例ではＤＶＤ）を表示させている。換言すれば、表示部１１ａ〜１３ａに表示させる操作コマンドの対象機器を、表示部１４ｃに表示させている。
【００５５】
以上により、本実施形態によれば、割当表示領域２１〜２３の表示内容を、操作スイッチ１１〜１３の表示部１１ａ〜１３ａに表示させるので、表示部１１ａ〜１３ａに表示される割当コマンドを視認しながら操作スイッチ１１〜１３を操作でき、操作スイッチ１１〜１３の操作性を向上できる。
【００５６】
（他の実施形態）
本発明は上記実施形態の記載内容に限定されず、以下のように変更して実施してもよい。また、各実施形態の特徴的構成をそれぞれ任意に組み合わせるようにしてもよい。
【００５７】
・上記各実施形態では、遠隔操作装置１０のＭＰＵ１７が操作メニューの表示内容を制御する表示制御装置として機能するが、各種機器４０や遠方表示器２０に備えられたＭＰＵを上記表示制御装置として機能させてもよい。
【００５８】
・上記各実施形態では、コマンドの候補選択や割当変更をタッチパッド１４（候補選択操作手段、コマンド割当操作手段）で操作しているが、これらの手段はタッチパッド１４に限られるものではなく、例えば、トラックボールやマウス等のポインティングデバイスを用いてもよい。また、これらのポインティングデバイスに替えて、ユーザに遥動操作される操作スティックを用いてもよいし、ユーザに押動操作される方向スイッチ（例えば上下左右方向のそれぞれに対応するスイッチ）を用いてもよい。
【００５９】
・上記各実施形態では、コマンドの候補選択や割当変更を共通した１つのタッチパッド１４（候補選択操作手段、コマンド割当操作手段）で操作しているが、候補選択操作手段とコマンド割当操作手段を、別々の手段で構成してもよい。例えば、候補選択操作手段およびコマンド割当操作手段の一方をタッチパッドで構成し、他方を操作スティックで構成する。
【００６０】
・上記各実施形態では、候補登録モードおよび割当変更モードの両方を表示させてユーザに操作案内をしているが、一方のモードまたは両モードについては表示による操作案内に替えて、音声による操作案内を実施してもよい。
【００６１】
・上記第１実施形態では、複数の操作スイッチ１１〜１３に割り当てるコマンドを、階層メニューのうち同一の階層のコマンドとしている。例えば、アプリ起動前の図３（ａ）の時点における割当コマンドでは、アプリ起動コマンドのみが表示されて選択可能であり、アプリ起動後の図３（ｂ）の時点における割当コマンドでは、起動中のアプリに対する操作コマンドのみが表示されて選択可能である。これに対し、複数の操作スイッチ１１〜１３に対して異なる階層のコマンドを、同時に割り当てることができるように設定してもよい。
【００６２】
・上記各実施形態では、操作スイッチ１１〜１３を複数設けているが、１つにしてもよい。また、上記第４実施形態の如く操作スイッチ１１〜１３が表示機能を有する場合には、タッチパッド１４の表示機能を廃止してもよい。
【符号の説明】
【００６３】
１１〜１３…操作スイッチ、１４…タッチパッド（候補選択操作手段、コマンド割当操作手段）。
【図１】
0005565421.tif 000002
【図２】
0005565421.tif 000003
【図３】
0005565421.tif 000004
【図４】
0005565421.tif 000005
【図５】
0005565421.tif 000006
【図６】
0005565421.tif 000007
【図７】
0005565421.tif 000008
【図８】
0005565421.tif 000009
【図９】
0005565421.tif 000010
【図１０】
0005565421.tif 000011
【図１１】
0005565421.tif 000012